(57)【要約】【課題】  ＤＱＰＳＫ変調された光信号を復調する光受信器において、該光受信器内の干渉光学系における遅延量を高精度かつ簡便に制御することが可能な光受信器の制御方法を提供すること。【解決手段】  ＤＱＰＳＫ変調された光信号を多レベルの位相変調信号（Ｉ成分信号，Ｉ−成分信号，Ｑ成分信号，Ｑ−成分信号）に復調する光受信器の制御方法において、該光受信器が干渉光学系（Ｌ１，Ｌ２）の一部に光路長調整素子Ｄを有する遅延手段を備え、該位相変調信号のＩ成分信号又はＩ−成分信号の少なくとも一方と、該位相変調信号のＱ成分信号又はＱ−成分信号の少なくとも一方とを演算した値に基づき、該演算値が所定の値となるように、該光路長調整素子Ｄによる遅延量を制御することを特徴とする。【選択図】図５
2011077907.tif 000002
【特許請求の範囲】
【請求項１】
ＤＱＰＳＫ変調された光信号を多レベルの位相変調信号（Ｉ成分信号，Ｉ−成分信号，Ｑ成分信号，Ｑ−成分信号）に復調する光受信器の制御方法において、
該光受信器が干渉光学系の一部に光路長調整素子を有する遅延手段を備え、
該位相変調信号のＩ成分信号又はＩ−成分信号の少なくとも一方と、該位相変調信号のＱ成分信号又はＱ−成分信号の少なくとも一方とを演算した値に基づき、該演算値が所定の値となるように、該光路長調整素子による遅延量を制御することを特徴とする光受信器の制御方法。
【請求項２】
請求項１に記載の光受信器の制御方法において、該光路長調整素子は、各位相変調信号について共通の光学部品で形成されていることを特徴とする光受信器の制御方法。
【請求項３】
請求項１又は２に記載の光受信器の制御方法において、該所定の値は最大値もしくは最大値であることを特徴とする光受信器の制御方法。
【請求項４】
請求項１乃至３のいずれかに記載の光受信器の制御方法において、該光路長調整素子による遅延量の制御は、Ｉ成分信号とＩ−成分信号との差と、Ｑ成分信号とＱ−成分信号との差とを乗算した値に基づき行うことを特徴とする光受信器の制御方法。
【請求項５】
請求項１乃至４のいずれかに記載の光受信器の制御方法において、該位相変調信号としては、光受信器内を伝播する該位相変調信号に対応する光波の一部又は光検出手段で電気信号に変換された該位相変調信号に対応する信号の一部のいずれかを用いることを特徴とする光受信器の制御方法。
【発明の詳細な説明】
【技術分野】
【０００１】
本発明は、光受信器の制御方法に関し、特に、ＤＱＰＳＫ変調された光信号を多レベルの位相変調信号を復調する光受信器の制御方法に関する。
【背景技術】
【０００２】
通信トラフィックの増大に伴い、高速・大容量化が求められる次世代長距離大容量光通信システムでは、多値変復調符号化技術の導入が検討されている。その代表的なものの一つに差動四相位相偏移変調（ＤＱＰＳＫ変調，Differential Quadrature Phase Shift keying）方式がある。この方式では、従来の２値強度変調（ＯＯＫ，On-Off keying）方式と比べ、信号帯域が狭く、周波数利用効率の向上や伝送距離の拡大が実現できるほか、高感度化も期待できる。
【０００３】
まず、四相位相偏移変調（ＱＰＳＫ変調，Quadrature Phase Shift keying）方式は、２ビットのデータから構成される各シンボル「００」，「０１」，「１１」及び「１０」に対して、「θ」，「θ＋π／２」，「θ＋π」及び「θ＋３π／２」が割り当てられる。ここで、「θ」は任意の位相である。そして、受信器は、受信信号の位相を検出することにより、送信データを再生する。ＱＰＳＫ変調方式を比較的容易に実現する手段として、ＤＱＰＳＫ変調方式があり、ＤＱＰＳＫ変調では、先に送信したシンボルの値と次に送信するシンボルの値との間の搬送波の位相変化量（「０」,「π／２」，「π」及び「３π／２」）が送信情報の２ビットに対応付けられる。したがって、受信器は、隣接する２つのシンボル間の位相差を検出することにより、送信データを再生することができる。
【０００４】
特許文献１又は２に示すように、ＤＱＰＳＫ変調された光信号を復調するには、図１のようなＩ（In-phase）信号生成用とＱ（Quadrature）信号生成用の２つの遅延干渉計（導波路１０２と１０３による遅延干渉計、または、導波路１０４と１０５による遅延干渉計）を必要とし、しかも、高精度で位相差を復調する必要がある。図１では、光信号αを２つの遅延干渉計に入れるため、分岐部１０１で２つに分岐されている。各遅延干渉計を経た光波ａ１とａ２、又は光波ａ３とａ４は、各々のバランスド受光素子に入射されてＩ信号やＱ信号を出力する。遅延干渉計では、遅延量を高精度に制御することが必要であり、一般的に、光路長調整素子を遅延干渉計の一方の導波路に挿入することが行われている。
【０００５】
また、特許文献３において、本出願人は、図２に示すように、偏波面に着目する光受信器を提案した。具体的には、ＤＱＰＳＫ変調光αは、偏波面が一方向に揃えた状態で入射し、１ビット遅延回路に導入される。１ビット遅延回路では、偏波保持型のファイバカプラ（１，２）で構成されるとともに、一方の分岐光の経路には偏波面を９０度回転させる半波長板３が配置されている。これにより、合波された光波は、互いに１ビット遅延した２つの信号光が、偏波面が直交する状態で合成されている。
【０００６】
そして、偏波分離回路４を用いて４つの信号光に分離され、例えば、光波ｂ１とｂ２、又は光波ｂ３とｂ４を、各々のバランスド受光素子に入射してＩ信号やＱ信号を得ることができる。これにより、１ビット遅延回路が１つに集約でき、製造コストの削減や光学部品の調整の煩雑さを軽減することが可能となる。この１ビット遅延回路においても遅延量を高精度に制御する必要があるため、１ビット遅延回路を構成する一方の導波路に光路長調整素子が配置される。
【０００７】
また、さらに、本出願人は、ＤＱＰＳＫ変調された光信号を多レベルの位相変調信号に復調する光受信器において、偏波無依存となる光受信器を提供するため、特許文献４において、以下のような光受信器を提案した。
【０００８】
この光受信器では、図３に示すように、ＤＱＰＳＫ変調された光信号αを多レベルの位相変調信号に復調する光受信器において、ＤＱＰＳＫ変調された光信号αを、偏波面が直交する２つの光波（Ａ，Ｂ）に分岐する偏波分岐手段（２０１）と、一方の分岐光Ａをさらに２つの光波（Ａ１，Ａ２）に分岐し、＋４５度の１／４波長板を通過させる分岐回転手段（２１１，２２１）と、他方の分岐光Ｂをさらに２つの光波（Ｂ１，Ｂ２）に分岐し、−４５度の１／４波長板を通過させる分岐回転手段（２１２，２２２）と、各分岐回転手段を経た４つの光波（Ａ１，Ａ２，Ｂ１，Ｂ２）に対し、偏波面が直交する２つの光波に分離し、一方の光波を１ビット分の遅れを発生させた後に両者を互いに偏波面が直交する状態で合波する１ビット遅延回路手段（２３１〜２５４）を設け、１ビット遅延回路手段を経た２つの光波（Ａ１，Ｂ２）は、各々の光波が−４５度の１／４波長板（２６１，２６４）を通過し、さらに偏波面を２２．５度回転（２７０）し、偏波面が直交する２つの光波（（Ａ１１，Ａ１２）又は（Ｂ２１，Ｂ２２））毎に分岐（２８１，２８４）する回転分岐手段と、１ビット遅延回路手段を経た他の２つの光波（Ａ２，Ｂ１）は、各々の光波が＋４５度の１／４波長板（２６２，２６３）を通過し、さらに偏波面を２２．５度回転（２７０）し、偏波面が直交する２つの光波（（Ａ２１，Ａ２２）又は（Ｂ１１，Ｂ１２））毎に分岐（２８２，２８３）する回転分岐手段と、回転分岐手段を経た特定の４つの光波（Ｂ１１，Ｂ１２，Ｂ２１，Ｂ２２）を＋４５度の半波長板（２９０）を通過させ、得られた８つの光波（Ａ１１，Ａ１２，Ａ２１，Ａ２２，Ｂ１１，Ｂ１２，Ｂ２１，Ｂ２２）を特定の組み合わせ（（Ａ１１，Ｂ２１），（Ａ１２，Ｂ２２），（Ａ２１，Ｂ１１）又は（Ａ２２，Ｂ１２））で偏波面を維持した状態で合波する合波手段（３０１〜３０４）を有することを特徴とする。
【０００９】
この光受信器を空間光学系で構成すると、図４に示すように、光受信器の一部は、ファラデーローテータ（ＦＲ）を含む光学系で構成される。図４では、図３における２つの光波（Ａ１，Ａ２）を、分岐回転手段（２１１）の一部を構成する＋４５度の１／４波長板（４１３）を通過させ、偏光ビームスプリッター４１４で偏光面が直交する２つ光波に分岐され、プリズムミラー４１６及び４１７で各々反射し、再度、偏光ビームスプリッター４１４に入射して、偏波面を直交状態に維持しながら合波される。
【００１０】
偏光ビームスプリッター４１４に対するプリズムミラー４１６及び４１７の設置位置は、光路差が１ビット分となるように設定されており、例えば、光路長を調整するための光路長調整素子として、ポリマーなどの光透過媒体４１５が、偏光ビームスプリッターとプリズムミラーとの間に配置される。
【００１１】
１ビット遅延回路を出た光波は、−４５度の１／４波長板４２０や＋４５度の１／４波長板４２１へ導かれる。±４５度の１／４波長板（４２０，４２１）を通過した４つの光波は、さらに、２２．５度の偏波面回転手段であるファラデーローテータ（ＦＲ）を通過するよう構成される。
【００１２】
以上のように、ＤＱＰＳＫ変調された光信号を多レベルの位相変調信号に復調する光受信器においては、遅延回路を構成する干渉光学系の遅延量を正確に制御することが必要である。しかしながら、光受信器からは、複数の位相変調信号を出力し、各信号変化から遅延量を制御するには、制御アルゴリズムが複雑化するという問題がある。特に、複数の干渉光学系の個々に遅延量を制御する手段として光路長調整手段を設ける場合には、制御用信号の干渉が発生し、制御アルゴリズムがより複雑化することとなる。
【先行技術文献】
【特許文献】
【００１３】
【特許文献１】特開２００６−２９５６０３号公報
【特許文献２】特開２００７−１５８８５２号公報
【特許文献３】特願２００８−２５５５２８号（２００８年９月３０日出願）
【特許文献４】特願２００９−８０３１９（２００９年３月２７日出願）
【発明の概要】
【発明が解決しようとする課題】
【００１４】
本発明が解決しようとする課題は、上述したような問題を解決し、ＤＱＰＳＫ変調された光信号を復調する光受信器において、該光受信器内の干渉光学系における遅延量を高精度かつ簡便に制御することが可能な光受信器の制御方法を提供することである。
【課題を解決するための手段】
【００１５】
上記課題を解決するため、請求項１に係る発明は、ＤＱＰＳＫ変調された光信号を多レベルの位相変調信号（Ｉ成分信号，Ｉ−成分信号，Ｑ成分信号，Ｑ−成分信号）に復調する光受信器の制御方法において、該光受信器が干渉光学系の一部に光路長調整素子を有する遅延手段を備え、該位相変調信号のＩ成分信号又はＩ−成分信号の少なくとも一方と、該位相変調信号のＱ成分信号又はＱ−成分信号の少なくとも一方とを演算した値に基づき、該演算値が所定の値となるように、該光路長調整素子による遅延量を制御することを特徴とする。
【００１６】
請求項２に係る発明は、請求項１に記載の光受信器の制御方法において、該光路長調整素子は、各位相変調信号について共通の光学部品で形成されていることを特徴とする。
【００１７】
請求項３に係る発明は、請求項１又は２に記載の光受信器の制御方法において、該所定の値は最大値もしくは最大値であることを特徴とする。
【００１８】
請求項４に係る発明は、請求項１乃至３のいずれかに記載の光受信器の制御方法において、該光路長調整素子による遅延量の制御は、Ｉ成分信号とＩ−成分信号との差と、Ｑ成分信号とＱ−成分信号との差とを乗算した値に基づき行うことを特徴とする。
【００１９】
請求項５に係る発明は、請求項１乃至４のいずれかに記載の光受信器の制御方法において、該位相変調信号としては、光受信器内を伝播する該位相変調信号に対応する光波の一部又は光検出手段で電気信号に変換された該位相変調信号に対応する信号の一部のいずれかを用いることを特徴とする。
【発明の効果】
【００２０】
請求項１に係る発明により、ＤＱＰＳＫ変調された光信号を多レベルの位相変調信号（Ｉ成分信号，Ｉ−成分信号，Ｑ成分信号，Ｑ−成分信号）に復調する光受信器の制御方法において、該光受信器が干渉光学系の一部に光路長調整素子を有する遅延手段を備え、該位相変調信号のＩ成分信号又はＩ−成分信号の少なくとも一方と、該位相変調信号のＱ成分信号又はＱ−成分信号の少なくとも一方とを演算した値に基づき、該演算値が所定の値となるように、該光路長調整素子による遅延量を制御するため、光受信器内の干渉光学系における遅延量を高精度かつ簡便に制御することができる。
【００２１】
請求項２に係る発明により、光路長調整素子は、各位相変調信号について共通の光学部品で形成されているため、一つの光路長調整素子を制御するだけで、全位相変調信号に係る光学系を高精度に制御することが可能となる。
【００２２】
請求項３に係る発明は、所定の値は最大値もしくは最大値であるため、光受信器の制御が、より高精度かつより簡便に行うことが可能となる。
【００２３】
請求項４に係る発明により、光路長調整素子による遅延量の制御は、Ｉ成分信号とＩ−成分信号との差と、Ｑ成分信号とＱ−成分信号との差とを乗算した値に基づき行うため、出力信号の変化量が最も大きくなり、より高精度な制御を行うことが可能となる。
【００２４】
請求項５に係る発明により、位相変調信号としては、光受信器内を伝播する該位相変調信号に対応する光波の一部又は光検出手段で電気信号に変換された該位相変調信号に対応する信号の一部のいずれかを用いるため、光受信器より出力される位相変調信号の一部を直接検知して制御を行うため、より高精度な制御を行うことが可能となる。
【図面の簡単な説明】
【００２５】
【図１】２つの遅延干渉計で構成されるＤＱＰＳＫ変調の光受信器を示す図である。
【図２】本出願人が先の出願で提示した偏波面を利用したＤＱＰＳＫ変調の光受信器を示す図である。
【図３】本出願人が先の出願で提示した光受信器に係る基本的な概念を説明する図である。
【図４】図３の光受信器に係る空間光学系の一部を説明するための平面図である。
【図５】本発明の光受信器の制御方法に係る基本的な構成を説明する図である。
【図６】位相変調信号等の様子を示すグラフである。
【図７】本発明が適用可能な他の光受信器に係る基本的な概念を説明する図である。
【図８】図７の光受信器に係る空間光学系の一部を説明するための平面図である。
【図９】本発明の光受信器の制御方法に係る他の実施例を説明する図である。
【発明を実施するための形態】
【００２６】
以下、本発明の光受信器の制御方法について、好適例を用いて詳細に説明する。
本発明は、図５に示すように、ＤＱＰＳＫ変調された光信号αを多レベルの位相変調信号（Ｉ成分信号，Ｉ−成分信号，Ｑ成分信号，Ｑ−成分信号）に復調する光受信器の制御方法において、該光受信器が干渉光学系（Ｌ１，Ｌ２）の一部に光路長調整素子Ｄを有する遅延手段を備え、該位相変調信号のＩ成分信号又はＩ−成分信号の少なくとも一方と、該位相変調信号のＱ成分信号又はＱ−成分信号の少なくとも一方とを演算した値に基づき、該演算値が所定の値となるように、該光路長調整素子による遅延量を制御することを特徴とする。
【００２７】
本発明が適用される光受信器は、図１乃至３に示した各種のＤＱＰＳＫ変調のための光受信器が利用可能であり、光受信器内には、少なくとも１つの干渉光学系（Ｌ１，Ｌ２）を有しており、その一部に光路長を調整するための光路長調整素子Ｄを備えていること、また、該光受信器からは当該光受信器には、Ｉ成分信号，Ｉ−成分信号，Ｑ成分信号，Ｑ−成分信号に対応する位相変調信号が出力されるものであれば、如何なる光受信器も採用することが可能である。
【００２８】
したがって、図５は、本発明に利用される光受信器の特徴的部分のみを表現しており、２つの光路に分岐し再度合波する干渉光学系（Ｌ１，Ｌ２）は、１つである必要は無い。また、ＬＣ１で光学系も特に限定されるものでは無く、図１乃至３に示すような各種の光学系を用いて位相変調信号を生成可能なものであれば良い。より好ましくは、図４や後述する図８のように１つの光路長調整素子により全ての位相変調信号を生成可能な光受信器に対して、本発明は好適に適用することが可能である。
【００２９】
光路長を調整するための光路長調整素子Ｄとしては、ポリマーなどの光透過媒体が利用可能であり、温度変化を利用して光路長を調整可能なものが好適に利用可能である。また必要に応じて、電圧を印加して屈折率を変化させるものや透明基板を光軸に垂直な軸を中心に回転可能とし、回転角を調整するものも同様に利用することが可能である。
【００３０】
光受信器から出力される位相変調信号は、図６に示すような変化を示す。横軸は光路長調整素子による光路長変化を示しており、例えば、０〜３６０という数字は、各位相変調信号が変化し１周期分の変化を示す範囲を便宜的に３６０度としたものである。
【００３１】
図６に示すように、Ｉ成分信号とＩ−成分信号、また、Ｑ成分信号とＱ−成分信号とは互いに逆の変化を示すカーブを描き、Ｉ成分信号とＱ成分信号とは互いに９０度分だけズレたカーブを描く。
【００３２】
そして、各位相変調信号を最適化する条件は、図６の４５度，１３５度，２２５度，又は３１５度のいずれかであり、従来のように個々の位相変調信号に着目する場合には、最適な条件に設定することが難しく、制御アルゴリズムも複雑化する。
【００３３】
本発明では、位相変調信号のＩ成分信号又はＩ−成分信号の少なくとも一方と、該位相変調信号のＱ成分信号又はＱ−成分信号の少なくとも一方とを演算した値に基づき、図６に示す、４５度，１３５度，２２５度，又は３１５度のいずれかに設定されるよう制御している。特に、該演算値が所定の値になった時に、光受信器の状態が上述の最適条件となるように、演算方法や所定値が設定される。
【００３４】
図６からも理解できるように、最も単純な演算は、乗算であり、例えば、Ｉ＊Ｑ，又は（Ｉ−Ｉ−）＊（Ｑ−Ｑ−）などが使用できる。そして、最適条件である４５度，１３５度，２２５度，又は３１５度のいずれかにおいては、当該乗算値が最大値又は最小値になる。
【００３５】
よって、図５では、位相変調信号に係る電気信号を制御回路ＣＯＮで受け、該制御回路において、Ｉ成分信号とＱ成分信号との乗算、または、Ｉ成分信号とＩ−成分信号との差とＱ成分信号とＱ−成分信号との差とを乗算、等の演算を行い、該演算値が最大値又は最小値となるように、光路長調整素子Ｄを制御し、干渉光学系の遅延量を制御する。
【００３６】
なお、光路長調整素子による遅延量の制御は、Ｉ成分信号とＩ−成分信号との差と、Ｑ成分信号とＱ−成分信号との差とを演算（乗算）した値に基づいて行うことにより、図６に示すように、演算値（乗算値）である出力信号の変化量が最も大きくなり、より高精度な制御を行うことが可能となる。
【００３７】
図７は、本発明の光受信器の制御方法が適用可能である、光受信器の他の実施例を示す図である。図７では、ＤＱＰＳＫ変調された光信号を多レベルの位相変調信号に復調する光受信器において、直線偏光（ａ）を円偏光に変換する１／４波長板（５０１）と、該１／４波長板を通過した光波を２つの円偏光（ａ１，ａ２）に分岐する分岐手段（５１１）と、２つの円偏光（ａ１，ａ２）の間に１ビット分と偏波面の所定の傾きに相当する位相差を付与する遅延手段（５２１）と、一方の円偏光（ａ２）を反対回転の円偏光に変換する１／２波長板（５３１）と、該遅延手段や該１／２波長板を経た光波を合波すると共に、該位相差に対応する偏波面の傾きを有する直線偏光（ａ３，ａ４）に分岐する合波分岐手段（５４１）と、該合波分岐手段を経た一方の直線偏光（ａ４）をさらに所定角度回転させる他の１／２波長板（５５１）とを有することを特徴とする。
【００３８】
図７の光受信器の特徴は、直線偏光を円偏光に変換することで、ファラデーローテータを使用せず、２つの１／２波長板（５３１，５５１）を用いて、Ｉ信号成分（ａ３）とＱ信号成分（ａ４）に対応した、所定の回転角の偏波面を有する光波を容易に得ることができる。これにより、ファラデーローテータを使用した場合の温度変化による信号劣化を排除でき、かつファラデーローテータよりも格安な１／２波長板を使用するため、低コストな光受信器を提供することが可能となる。
【００３９】
図８は、直線偏光（ａ）からＩ信号成分（ａ３）とＱ信号成分（ａ４）を得る光学系を、空間光学系で構成した例を示している。Ｉ成分信号とＱ成分信号が同じ偏波面に載っている直線偏光を、１／４波長板（６００）で円偏光に変換する。符号６０１は分岐手段を構成するハーフミラー（スプリッタ）であり、図４で示した空間光学系の偏光ビームスプリッタ４１４とは異なっている。
【００４０】
ハーフミラー６０１で２つに分岐された円偏光の一方（ａ１）は、プリズムミラー６０３に向い、反射して、ハーフミラー６０１に戻ってくる。この間に、円偏光は遅延手段６０２により、１ビットと所定の位相差だけ遅延される。１ビットは、ＤＱＰＳＫ変調された光信号を復調する際に必要な遅延量であるが、所定の位相差は、ハーフミラーで２つの円偏光が重なり合った際の位相差であり、合波した光（直線偏光）の偏光面の角度を所望の角度に設定するために使用される。ただし、１ビット遅延と所定の位相差の遅延を、別々の遅延手段で構成することも可能であるが、部品点数の削減の観点からは両者を１つの部材で兼用することが可能である。遅延手段６０２として本発明の光路長調整素子を適用することが可能である。
【００４１】
ハーフミラー６０１で分岐された他方の円偏光（ａ２）は、１／２波長板６０４により、反対回転の円偏光に変換される。プリズムミラー６０５で反射した円偏光は、ハーフミラーで遅延手段を経た円偏光と合波される。合波する２つの光波は、回転方向が互いに逆向きで所定の位相差を有しているため、合波した後の光波は所定角度だけ偏波面が傾いた直線偏光となっている。当該角度を２２．５°とすることで、ファラデーローテータと同様の効果を得ることが可能となる。
【００４２】
合波分岐手段であるハーフミラー６０１を経た一方の直線偏光（ａ４）は、さらに所定角度回転させるため、もう一つの１／２波長板（６０６）を通過し、ミラー６０７（プリズムミラーでも良い）により、Ｉ成分信号の光波（ａ３）と同様の方向に出射される。
【００４３】
円偏光（ａ２）を反対方向の円偏光にするための１／２波長板（６０４）は、ハーフミラー６０１の出射光側に設置されているが、プリズムミラー（６０５）からハーフミラーに光波が戻ってくる光路上に設置することも可能である。
【００４４】
図８に示すように、単一のハーフミラー（６０１）と２つのプリズムミラー（６０３，６０５）を利用して、空間光学系を構成することが可能であるため、光受信器の光学系を小型化することができる。
【００４５】
図７では、直線偏光（ａ）のみではなく、直線偏光（ｂ）についても同様に、１／４波長板（５０２）、分岐手段（５１２）、遅延手段（５２２）、１／２波長板（５３２）、合波分岐手段（５４２）、及び他の１／２波長板（５５２）を設けている。これは、特許文献４と同様に、偏波無依存となる光受信器を提供するためである。
【００４６】
図７の光受信器を偏波無依存化するには、受光する信号光αを、偏波分岐手段（５００）を用いて偏波面が直交する２つの直線偏光（ａ，ｂ）に分岐している。偏波分岐手段には、偏光ビームスプリッタが利用可能である。また、特許文献４と同様に、図８に示す空間光学系を２つの直線偏光（ａ，ｂ）で兼用するためには、図８の紙面に垂直な方向に離れて直線偏光（ａ）と直線偏光（ｂ）とが平行に進行するよう偏波分岐手段を配置する。
【００４７】
直線偏光（ｂ）についても、直線偏光（ａ）と同様に、１／４波長板（５０２）、分岐手段（５１２）、遅延手段（５２２）、１／２波長板（５３２）、合波分岐手段（５４２）、及び他の１／２波長板（５５２）が設けられる。
【００４８】
次に、合波分岐手段（５４１，５４２）を経た直線偏波（ａ３，ｂ３）と他の１／２波長板（５５１，５５２）を経た直線偏波（ａ４，ｂ４）とを、偏光ビームスプリッタなどの直交偏波分岐手段により、偏波面が直交する２つの光波（ａ３１，ａ３２，ａ４１，ａ４２，ｂ３１，ｂ３２，ｂ４１，ｂ４２）に各々分岐する。
【００４９】
直交偏波分岐手段を経た一部の光波（ｂ３１，ｂ３２，ｂ４１，ｂ４２）を１／２波長板（５７１〜５７４）を通過させ、直交偏波分岐手段を経た他の光波（ａ３１，ａ３２，ａ４１，ａ４２）と、図７に示すような特定の組み合わせ（（ａ３１，ｂ３１），（ａ３２，ｂ３２），（ａ４１，ｂ４１）又は（ａ４２，ｂ４２））で偏波面を維持した状態で合波する。合波手段には、偏光ビームスプリッタを用いることが可能である。
【００５０】
なお、図８で示す光学系を２つの直線偏光（ａ，ｂ）で兼用したり、各種光学部品を通過する際の位相変化などにより、各光路間において不要な位相差を生じる場合がある。このような位相差は、信号の復調精度に影響を与えるため、各光波の間で、不要な光路差を生じないよう適宜補正することが好ましい。
【００５１】
図４や図８の空間光学系では、光路長調整素子が一つであり、この光路長調整素子を制御することで、全ての位相変調信号を最適制御できるため、本発明の光受信器の制御方法を適用するには、好適な空間光学系と言える。
【００５２】
図９は、本発明の他の実施例を示す図であり、干渉光学系を複数有する場合や、位相変調信号をバランスド受光素子（ＰＤ１，ＰＤ２）で受光する場合を例示している。光学系（Ｌ１１とＬ１２）と、光学系（Ｌ２１とＬ２２）のように、干渉光学系を複数有する場合には、上述したように、位相変調信号から所定の成分信号を抽出して乗算し、該乗算値が最大値又は最小値となるように、各光路長調整素子Ｄ１，Ｄ２を制御する。制御方法としては、まず、光路長調整素子Ｄ１のみを変化させ、該乗算値が最大値又は最小値となるように調整し、次に光路長調整素子Ｄ２のみを変化させ、同様に乗算値が最適値となるよう調整する。これらの操作を複数回繰り返すことで、より最適な位相変調信号が得られるよう制御することができる。
【００５３】
さらに、図９では、バランスド受光素子（ＰＤ１，ＰＤ２）を用いることで、Ｉ成分信号とＩ−成分信号との差に相当する信号や、Ｑ成分信号とＱ−成分信号との差に相当する信号を一度に得ることができ、制御回路の負荷を軽減することも可能である。
【００５４】
本発明の光受信器の制御方法に利用される位相変調信号の取得方法としては、光受信器内を伝播する該位相変調信号に対応する光波の一部（数％程度）を分岐抽出して受光素子に入射させて得る方法や、光検出手段で電気信号に変換された位相変調信号に対応する電気信号の一部を利用する方法などが採用できる。このように、位相変調信号の一部を直接検知して制御することで、より高精度な制御を行うことが可能となる。
【００５５】
以上、本発明の光受信器の制御方法につき説明してきたが、本発明は一般的な他のＤＱＰＳＫ用光受信器等にも適応可能であることはいうまでもない。
【産業上の利用可能性】
【００５６】
以上説明したように、本発明によれば、ＤＱＰＳＫ変調された光信号を復調する光受信器において、該光受信器内の干渉光学系における遅延量を高精度かつ簡便に制御することが可能な光受信器の制御方法を提供することが可能となる。
【符号の説明】
【００５７】
２０１，２３１〜２３４，２５１〜２５４，２８１〜２８４，３０１〜３０４，５６１〜５６４，５８１〜５８４  偏光ビームスプリッター
２１１，２１２  分岐手段（偏光ビームスプリッタ）
２２１，２２２，２６１〜２６４，５０１，５０２  １／４波長板
２７０  ２２．５度の偏波面回転手段
２９０，５２１，５２２，５５１，５５２，５７１〜５７４  １／２波長板
５１１，５１２  分岐手段（ハーフミラー）
５４１，５４２  合波分岐手段（ハーフミラー）
ＣＯＮ  制御回路
Ｄ，Ｄ１，Ｄ２  光路長調整素子
Ｌ１，Ｌ２，Ｌ１１，Ｌ１２，Ｌ２１，Ｌ２２  干渉光学系
【図１】
2011077907.tif 000003
【図２】
2011077907.tif 000004
【図３】
2011077907.tif 000005
【図４】
2011077907.tif 000006
【図５】
2011077907.tif 000007
【図６】
2011077907.tif 000008
【図７】
2011077907.tif 000009
【図８】
2011077907.tif 000010
【図９】
2011077907.tif 000011